(57)【要約】      （修正有）【課題】要介護者を横向きにした背の下部分に、引き布を入れて布の上に仰向けに寝た状態で布を引き、車椅子に乗り移動することができる負担の少ない車椅子を提供する。【解決手段】回転肘掛３のロックを外し、背もたれ面２３に沿って肘掛を後部に回し、回転肘掛を下げた状態で、背もたれ面２３を座面２４に向けて少し押すことで、背もたれ固定部分が持ち上がり、背もたれ補強上部７がはずれ背もたれ面が倒れる。平らになった背もたれ面に凸出している、上体固定ベルト取り付け棒を台に沿わせて倒し、表面を平らにした後、要介護者は引き布に乗って台に移動する。【選択図】図７
0003178461.tif 000002
【実用新案登録請求の範囲】
【請求項１】
要介護者用車椅子座面（２４）背もたれ面（２３）の表面全体を、移動を容易にするため、車椅子表面の回転する小さなコマ（１）を使用し、引き布を用いて椅子上に乗り上体固定ベルト（２８）を胸元であわせ、背もたれ面を椅子形式に起こすが、背もたれ面の角度、重心部分が後ろになるため、背もたれ補強部分（７）（８）（１４）（１４ａ）で固定し、椅子を安定させ回転肘掛（３）（３ａ）（３ｂ）を座面横に回し、回転肘掛ロック部分に差込み方式の要介護者用車椅子
【請求項２】
要介護者自身、ブレーキをかける外すことは不可能である、事故防止のため介護者の手が車椅子操作持ち手（１５）をはなれた時点で、バネ式ブレーキ（１７）がかかるのを特徴とする請求項１記載の要介護者用車椅子。
【請求項３】
要介護者が車椅子に引き布でスライドするように乗り降りする際、邪魔になる上体固定ベルト（２８）は台に沿って倒し、回転肘掛（３）（３ａ）（３ｂ）は台に沿って回転し台を支えるのを特徴とする請求項１記載の要介護者用車椅子。
【請求項４】
背もたれ固定部分（６）に背もたれ補強上部（７）が合致し、ストッパ（５）（５ａ）（５ｂ）で止め固定安定させるのを、特徴とする請求項１記載の要介護者用車椅子。
【請求項５】
背もたれ面（２３）を倒し平らにした際、台を支える回転肘掛（３）の横ぶれを防ぐため鎖ヒモ（１０）で連結した回転肘掛固定棒（１１）の先端、回転肘掛巾調節部分（１２）を引き出し、回転肘掛はめ込み部分（１３）で回転肘掛（３）を安定させるのを特徴とする請求項１〜４のいずれかに記載の要介護者用車椅子。
【考案の詳細な説明】
【技術分野】
【０００１】要介護者を吊り下げたり抱き上げたりすることなく、車椅子表面の回転する小さなコマの上面を引き布を使用して移動する。
【背景技術】
【０００２】要介護者を移動させる際、抱き上げるか数人で持ち上げるか吊り下げるか等、要介護者にとっても介護する者にとっても大きな負担になっていた。
【考案の概要】
【考案が解決しようとする課題】
【０００３】要介護者が一番望んでいる、何とか風呂に入れないか？と言う問題にどのようにしたら少人数で入浴させられるか、家庭用の浴槽で多くの人手を必要とする入浴は余りにも負担が多すぎる。地域の中に銭湯のような要介護者専用の入浴場があれば、両側に一人ずつ二人、車椅子に付き添い、布団からベットから要介護者を車椅子に移し、その場に連れて行くことで入浴を可能にする。
【課題を解決するための手段】
【０００４】回転肘掛先（２）のロックを外し、背もたれ面に沿って肘掛を後部に回し、回転肘掛を下げた状態で、背もたれ面（２３）を座面（２４）に向けて少し押すことで、背もたれ固定部分（６）が持ち上がり背もたれ補強上部（７）が外れ背もたれ面が倒れる。
平らになった背もたれ面に凸出している、上体固定ベルト取り付け棒を台に沿わせて倒し、表面を平らにした後、要介護者は引き布に乗って台に移動する。【０００５】背もたれ補強が外れると座面（２４）と背もたれ面（２３）が平らになる。図７外れた背もたれ補強上部（７）は背もたれ面の下部に垂直に下がる。【０００６】図７背もたれ後部（２６）より、回転肘掛固定棒（１１）を鎖ヒモ（１０）で調節し背もたれ面を支える、回転肘掛の巾を（１２）（１３）で固定する。【０００７】回転肘掛（３ａ）を安定させる目的で、回転肘掛固定棒（１１）の先（１２）を引き出し（１３）の部分に肘掛（３ａ）部分をはめ込む。【０００８】平らになった背もたれ面（２３）の両側、上体固定ベルト取り付け棒（１９）を背もたれ面に沿って横に倒す。【０００９】背もたれ面（２３）に要介護者を移した場合、頭が下がるのを防ぐ目的で頭のせ（１８）を起こし背もたれ面を延長する。【００１０】要介護者を車椅子に移す際、片方の肩を下にした状態で横になり、背の下に引き布をいれ要介護者が仰向けになった時点で、引き布を車椅子の外側から引き移す。【００１１】車椅子表面の回転する小さなコマは、引き布に触れる部分がクルクル回転するので、要介護者に負担をかけずに移すことが出来る。【００１２】引き布を背の下に入れた際、上面になっている半身に着衣するか、着脱するか実行することができる。【００１３】背もたれ面を起こす大勢と同時に、回転肘掛（３ａ）の部分から、回転肘掛固定棒（１１）を押すことで（１２）（１３）から外れ、背もたれを起こす際、バネで引き込まれた回転肘掛固定棒（１１）が、鎖ヒモで引き上げられる。【００１４】背もたれ固定部分（６）に、背もたれ補強上部（７）をはめ込み、ストッパー（５）（５ａ）で固定する。
回転肘掛（３）を肩の横から回し、回転肘掛ロック部分（２）に差込固定する。【００１５】車椅子を操作、移動中に道路の段差やつまづきによる停止で、前のめりになるのを防止するため、背もたれ面両横の上体固定ベルト取り付け棒（１９）に上体固定ベルト（２８）を差込み胸の位置で合わせる。【００１６】車椅子を押す場合、前方が良く見えるように背もたれ先の頭のせ（１８）をたたむ。【００１７】車椅子は停止状態でバネ式ブレーキがかかる。移動中何らかの事情で介護者の手を離れた場合、要介護者にはブレーキをかけることは不可能であり、事故を防ぐ目的で介護者の手が外れた時点でバネ式ブレーキがかかる。【００１８】車椅子の先、足のせ部分（２２）座面（２４）背もたれ面（２３）の角度にも、十分余裕をもち寄りかかれるように、車椅子の重心を後ろにずらし、後ろに倒れるのを防止する。
【考案の効果】
【００１９】本考案は車椅子を平らにすることで、要介護者を安全に容易に車椅子へ乗り降りできる、と同時に要介護者や介護者にとっても負担の少ない移動方法である。また車椅子に戻した後クリニックへ、買い物にと外出も可能である。
【図面の簡単な説明】
【００２０】
【図１】車椅子座面、背もたれ面
【図２】車椅子背もたれ面後ろ図
【図３】背もたれ補強部分
【図４】背もたれ補強固定部分から外した図
【図５】回転肘掛先側面図
【図６】背もたれより補強部分を外す側面図
【図７】車椅子を平らにした即面図
【図８】回転肘掛はめ込み部分側面図
【図９】上体固定ベルト
【図１０】要介護者用車椅子
【考案を実施するための形態】
【００２１】図１、要介護者用車椅子座面（２４）背もたれ面（２３）、表面部分は物を乗せて軽く動くように、車椅子表面の回転する小さなコマ（１）を使用する。コマを通す棒は間隔が短い方が強度がある。本考案では表面に布を敷き乗せて引く、方法をとる。
また和式家屋の場合、玄関の上がり口は３０センチ以上の高さがある、車椅子に縦に移すことも考え回転する小さなこま（１）の向きを変える方法も可能。
【００２２】図２、車椅子背もたれ面後ろ図である。（１５）車椅子操作持ち手の先に（１６）ブレーキワイヤーを取り付け（２０）後輪のバネ式ブレーキ（１７）とつながる。
（１５）操作持ち手の上に、介護者の手の重みが加わると後輪（２０）のバネ式ブレーキがはずれ車輪が動く。
【００２３】後ろ図、ストッパ（５）（５ａ）（５ｂ）は背もたれ面を安全に固定する。
【００２４】背もたれ面（２３）を平らに倒す前に肘掛を（２）回転肘掛ロック部分から引き抜き、（３）（３ａ）（３ｂ）回転肘掛を、（４）肘掛回転部分と共に背もたれ後ろ面に回転しＬ字形のまま下げておく。
【００２５】図３の背もたれ固定部分（６）は、横図から見て半円の形をしており、半円の部分に添うように丸棒で形成された、背もたれ補強上部（７）の上に乗せるように置く。
【００２６】背もたれ面を少し押すことで、背もたれ固定部分（６）から背もたれ補強上部（７）がはずれ、図４のように背もたれ補強部分（７）（８）（１４）（１４ａ）が下方に下がる。この背もたれ補強部分が椅子形式を保ち安定する。
【００２７】（５）（５ａ）（５ｂ）ストッパーをはずした際、（６）の背もたれ固定部分から（７）の背もたれ補強上部がはずれ、（８）背もたれ補強下部固定棒の（９）回転部分で下方に下がる。
【００２８】図７背もたれ補強部分を、（６）の固定部分からはずして背もたれ面（２３）を平らにした際、回転肘掛固定棒（１１）を平行に保ち、回転肘掛（３）の横ぶれを防ぐ目的で図３、背もたれ後ろ面（２６）と回転肘掛固定棒（１１）を鎖ヒモ（１０）で連結する。
【００２９】回転肘掛固定棒（１１）は背もたれを起こす際、鎖ヒモ（１０）で連結されているため、回転肘掛（３）の間を引き上げられるので、回転肘掛固定棒の両側の先端（１２）の部分はバネ式（２７）になっている。先端を引っ張り（１３）の部分に回転肘掛（３）の部分をはめ込み、台を固定安定させる。
【００３０】図７台が平らになった状態で鎖ヒモ（１０）が、固定棒（１１）の位置と回転肘掛（３）の巾を安定させる。
【００３１】椅子形式に戻す際、背もたれをしっかり持ち固定棒（１１）を少し座面の方向に押せば（１３）の部分がはずれ（１２）の部分がバネ式で引き込まれ、固定棒は短くなり回転肘掛（３）の間を鎖ヒモにつながれて、背もたれを起こすのと同時に背もたれ補強上部（７）が上になり、背もたれ固定部分（６）に合致しストッパーで止める。
【００３２】背もたれを固定した後、回転肘掛（３）を回し、座面横の回転肘掛ロック部分（２）に差込みロックする。
【００３３】移動中道路の段差などにつまずき、前のめりを防ぐ目的で背もたれ両横の上体固定ベルト取り付け棒（１９）に上体固定ベルト（２８）差込胸元で合わせる。
【００３４】車椅子を移動させる際、車椅子操作持ち手（１５）に介護者の手をのせるとバネ式ブレーキ（１７）がはずれる。また要介護者自身がブレーキをかけることは不可能と考え、介護者の手をはなれると同時にバネ式ブレーキがかかる。
【符号の説明】
【００３５】１    車椅子表面の回転する小さなコマ
２    回転肘掛ロック部分
２ａ  回転肘掛ロック部分側面図
３    回転肘掛
３ａ  回転肘掛
３ｂ  回転肘掛後ろ部分
４    肘掛回転部分
５    ストッパ
５ａ  ストッパワク
５ｂ  ストッパワク
６    背もたれ固定部分
７    背もたれ補強上部
８    背もたれ補強下部固定棒
９    回転部分
１０  鎖ヒモ
１１  回転肘掛固定棒
１２  回転肘掛巾、調節部分
１３  回転肘掛はめ込み部分
１４  背もたれ補強縦棒
１４ａ背もたれ補強縦棒
１５  車椅子操作  持ち手
１６  ブレーキワイヤー
１７  バネ式ブレーキ
１８  頭乗
１９  上体固定ベルト取り付け棒
２０  後輪
２１  前輪
２２  足載せ部分
２３  背もたれ面
２４  座面
２５  背もたれ補強調節横棒
２６  鎖ヒモ取り付け部分
２７  バネ
２８  上体固定ベルト差込口
２９  固定した回転部分
【図１】
0003178461.tif 000003
【図２】
0003178461.tif 000004
【図３】
0003178461.tif 000005
【図４】
0003178461.tif 000006
【図５】
0003178461.tif 000007
【図６】
0003178461.tif 000008
【図７】
0003178461.tif 000009
【図８】
0003178461.tif 000010
【図９】
0003178461.tif 000011
【図１０】
0003178461.tif 000012
【手続補正書】
【提出日】平成24年4月19日(2012.4.19)
【手続補正１】
【補正対象書類名】実用新案登録請求の範囲
【補正対象項目名】全文
【補正方法】変更
【補正の内容】
【実用新案登録請求の範囲】
【請求項１】
背もたれ面を平らに変形可能な要介護者用車椅子であって、座面の両側部から立設され、背もたれ面の両側部に結合された、回転肘掛を回転させると共に、背もたれ面を床面と平行にした際、結合する回転肘掛はめ込み部分を、そなえた回転肘掛巾調節部分を、背もたれ面後部の背もたれ補強部分にそなえ、前記背もたれ補強部分は、背もたれ面を起こすと同時に、鎖ヒモで連結し持ち上がる背もたれ補強上部を、背もたれ後部の補強部分にはめ込み、椅子形式になるのを特徴とする要介護者用車椅子。
【請求項２】
主体となる座面（２４）と背もたれ面（２３）の表面部分に回転する小さなコマ（１）を設けたのを特徴とする請求項１記載の要介護者用車椅子。
【手続補正書】
【提出日】平成24年6月14日(2012.6.14)
【手続補正１】
【補正対象書類名】実用新案登録請求の範囲
【補正対象項目名】全文
【補正方法】変更
【補正の内容】
【実用新案登録請求の範囲】
【請求項１】
背もたれ面を平らに変形可能な要介護者用車椅子であって、座面の両側部から立設され、背もたれ面の両側部に結合された、回転肘掛を回転させると共に、背もたれ面を床面と平行にした際、背もたれ面の下部で床面に接する回転肘掛部分に結合する回転肘掛はめ込み部分を備えた回転肘掛巾調節部分を、背もたれ面後部の背もたれ補強部分に備え、前記背もたれ補強部分は、背もたれ面を起こすと同時に、鎖ヒモで連結し持ち上がる背もたれ補強上部を、背もたれ後部の背もたれ固定部分にはめ込み、椅子形式になるのを特徴とする要介護者用車椅子。
【請求項２】
主体となる座面（２４）と背もたれ面（２３）の表面部分に回転する小さなコマ（１）を設けたのを特徴とする請求項１記載の要介護者用車椅子。